(57)【要約】  本発明は、雄犬の排尿を受ける装置と、犬に食用の褒美を付与するための電子式褒美付与システムとを開示し、排尿装置は実用的であり且つ簡便である。本装置は、廃棄されるまで、尿の受け器として機能する。電子式システムは、排尿装置を使用した犬に自動的に褒美を与える。本装置は、手入れや衛生面及び実用面での要請をカバーするものであり、これは、飼い主とペットとの間の生活空間での調和をもたらすために、犬の自然の欲求と飼い主とにとり重要なことである。【選択図】図９Ａ
2017517277.tif 000002
【特許請求の範囲】
【請求項１】
雄犬の小便器としての機能を有し、携帯性があり実用的であり簡易なものである、一部品で作られたプラスチック製の排尿装置であって、
滑らかな流動面と、
雄犬の尿を受けるための競合溝と、
当該排尿装置の上部に一体化された、剛性を有するハンドルと、
特定の点に設けられた、尿の廃棄を制御し導くための排液路と
を備える雄犬用の排尿装置。
【請求項２】
軽量のプラスチック材料から作られている、請求項１に記載の雄犬用の排尿装置。
【請求項３】
当該排尿装置を使用する雄犬の品種及びサイズに応じた種々のサイズであって、高さ１５ｃｍ〜５０ｃｍの間のサイズを有する、請求項１に記載の雄犬用の排尿装置。
【請求項４】
当該排尿装置のデザインが最小の必須スペースを占有するものである、請求項１に記載の雄犬用の排尿装置。
【請求項５】
前記競合溝が覆われずに視認可能なままとなっているので、当該排尿装置が雄犬により使用されたかを、当該排尿装置に触れることなく視覚的に判断することができる、請求項１に記載の雄犬用の排尿装置。
【請求項６】
垂直な面に対する結合用の種々の形状を有する、請求項１に記載の雄犬用の排尿装置。
【請求項７】
犬が請求項１に記載の排尿装置を使用した時に褒美を該犬にワイヤレスで自動的に付与する電子式褒美付与システムであって、
前記犬に食用の褒美で満たされる、蓋が設けられたプラスチック製の半透明容器と、
褒美の出口管を有するプラスチック製の基部と、
手動放出用のアクションボタンと、
前記基部内に配設された褒美放出機構と、
無線周波数信号用の送信器モジュールと、
無線周波数信号の受信器モジュールと、
前記送信器モジュールと同じ周波数と同期させる４ポジション型スライドスイッチを有する無線周波数受信器により前記褒美放出機構を作動させる電子回路と、
バッテリー電源又は電流変換器と
を備える、電子式褒美付与システム。
【請求項８】
当該褒美付与システムがさらに手動で作動され前記犬に褒美を付与することができる、請求項７に記載の電子式褒美付与システム。
【請求項９】
当該電子式褒美付与システムを作動させるためのキーホルダサイズのリモートコントローラをさらに備える、請求項７に記載の電子式褒美付与システム。
【発明の詳細な説明】
【技術分野】
【０００１】
雄犬が排尿するための普段用の単純な装置に関する。この装置は、適当な場所に尿を廃棄できるまでは尿の受け器及び容器として機能し、衛生状態を維持すると共に、雄犬が飼い主と共有する家具と領域を保護する。
【背景技術】
【０００２】
オープンスペースや緑地で排尿させるために犬を連れて行くには十分なスペースや必要不可欠な機会を持たない飼い主というものは常に存在する。このような飼い主の主な問題の１つは、様々なエリアで流れる尿を日々、常に清浄にしなければならないということであり、このような尿は、家具、壁、タペストリー、カーテン、床、厚板、ローリング、カーペットなどの様々なタイプの材料及び面にとって非常に悩ましいものであり、可能な限り最も実用的で衛生的な方法で簡単に行うことが理想的である。上記を考慮し、また、特に子犬ではない場合に、垂直の物体と面において排尿し本能的にテリトリーをマークするという雄犬の生理的必要性に基づいて、本発明が設計された。本発明は、垂直で傾斜した尿受け用のプラスチック製携帯容器であり、これは、保護されるべき面と係合するよう床の上に置かれ、尿の直接の流れを回避する。
【０００３】
市場には他の特許や製品があり、一般的な違いは次のとおりである。それらは３つ以上の部品を有すること、可動部品、異なる形状を有すること、それらの一部が取り付けられていなければならないこと、金属部品を有すること、サイズに関しては人の通過を妨げること、それらの多くはグリッド構造、穴及びテクスチャ面を有しており、蓄積する残留物を清掃することが困難であること、したがって非常に衛生的なものであることが困難なこと、である。また、かかる装置が犬によって使用されたかどうかを視覚的に判断することができず、そのサイズ、柔軟性、質感及び構造に関していうと、それらを空にして清掃することが困難である。
【０００４】
Ｏｒｔｅｒ，Ｇｕｎｄｕｌａによる独国実用新案公開第２０２００６０１９２５６号明細書に記載のものは、３つの部品を有し、可動把持用ハンドルが複数の金属製部品を有するので、実用的ではない。それはトイレの縁部に取り付けられ、日々の使用に関してかさばるものとなる。
【０００５】
さらに、中国実用新案登録第２０２９４１２４７号明細書に記載のものは、３つの部品、すなわちトレイと、ほぼ同じサイズである可動の反らし板と、メッシュとを有する。これは、その占有スペース故に非常に大型となり、また洗浄や掃除が困難である。
【０００６】
Ｍｉｋａｅｌ  Ｈａｖｌｕｃｉｙａｎによる米国特許出願公開第０１２０２９８０４６号明細書に記載のものは、前述の特許と同様、複数の部品、形状及びサイズによって実現性が低い。
【０００７】
Ｊａｍｅｓ  Ｓ．  Ｋｏｎｇｅｓによる国際公開第２０１３１０１５４６号（ＰＣＴ／ＵＳ２０１２／０７０３１４）に記載のものは、電子的な可聴式訓練器である。この装置は、犬がいる場合にのみ作動するが、排尿や衛生面での問題を解決するものではない。
【０００８】
Ｆｒａｎｔｉｓｅｋ  Ｔｏｍｅｃｅｋによる欧州特許出願公開第２４９９９０６号明細書に記載のものは、３つの部品を有する。この装置の問題点は、濾過器を利用できるかどうかに依存する点にある。また、それはしっかり固定されるため、実用的ではなく、清掃も困難となる。
【０００９】
Ａ．Ｊ．Ｄ．  Ｔｏｍａｓによる米国特許第３２３０９２９号明細書（１９６３年）に記載のものは、４つの部品、すなわち、金属製のメッシュ筒状体と、蓋と、トレイと、あらゆる面で実用的ではない架橋フィルムとを有する。
【００１０】
中国実用新案登録第２０１４９９５１１号明細書に記載のものは、３つの取外し可能な部品を有し、その１つは複数の穴を有し、洗浄が困難であり、犬がその中に排尿したかどうかを触ることなく知ることができない。
【発明の概要】
【００１１】
本発明は、一部品型の装置（ｏｎｅ  ｐｉｅｃｅ  ｄｅｖｉｃｅ）からなり、この装置は、オープンエリアの床に配置され、又は、衛生を保ち犬の排尿による損傷を防止するために壁や家具のような平坦面に取り付けられる。飼い主が本装置を空にして洗浄して本装置を再設置するまで、尿が溝に溜まった本装置の底部から尿は捨てられる。本装置は、犬にこの行動を強制し習慣づけるために、すぐに褒美を与えることができる。
【図面の簡単な説明】
【００１２】
【図１Ａ】「完全型」の実施形態を示す斜視図である。
【図１Ｂ】「完全型」の実施形態を示す正面図である。
【図１Ｃ】「完全型」の実施形態を示す側面図である。
【図１Ｄ】「完全型」の実施形態を示す平面図である。
【図２Ａ】「フラットハーフ型」の実施形態を示す斜視図である。
【図２Ｂ】「フラットハーフ型」の実施形態を示す正面図である。
【図２Ｃ】「フラットハーフ型」の実施形態を示す側面図である。
【図２Ｄ】「フラットハーフ型」の実施形態を示す平面図である。
【図３Ａ】台座（ソークル）を有する壁のための「フラットハーフ型」の実施形態を示す斜視図である。
【図３Ｂ】台座を有する壁のための「フラットハーフ型」の実施形態を示す正面図である。
【図３Ｃ】台座を有する壁のための「フラットハーフ型」の実施形態を示す側面図である。
【図３Ｄ】台座を有する壁のための「フラットハーフ型」の実施形態を示す平面図である。
【図４Ａ】「フラットコーナー型」の実施形態を示す斜視図である。
【図４Ｂ】「フラットコーナー型」の実施形態を示す正面図である。
【図４Ｃ】「フラットコーナー型」の実施形態を示す側面図である。
【図４Ｄ】「フラットコーナー型」の実施形態を示す平面図である。
【図５Ａ】「ソークルフラットコーナー型」の実施形態を示す斜視図である。
【図５Ｂ】「ソークルフラットコーナー型」の実施形態を示す正面図である。
【図５Ｃ】「ソークルフラットコーナー型」の実施形態を示す側面図である。
【図５Ｄ】「ソークルフラットコーナー型」の実施形態を示す平面図である。
【図６Ａ】本装置の基本部分を総括的に示している。
【図６Ｂ】垂直な平坦面のための本装置の共通の保護フラップを示している。
【図６Ｃ】台座を有する壁のための付属部の特別な断面を示している。
【図７Ａ】本装置に雄犬がどのように排尿するかを示している。
【図７Ｂ】犬が排尿行動をとった時に飼い主が訓練の一部としてこの行動に褒美を与えるところを示している。
【図７Ｃ】どのように本装置を待ち上げるかを示している。
【図７Ｄ】適当な場所にて尿を廃棄する行動を示している。
【図７Ｅ】どのように本装置を洗浄するかを示している。
【図８Ａ】付属品「電子式褒美付与装置」の送信器モジュールの位置と構成要素を示している。
【図８Ｂ】付属品「電子式褒美付与装置」の送信器モジュールにおける１つの固定ピンと尿検出端子を示している。
【図８Ｃ】付属品「電子式褒美付与装置」の構成要素を示している。
【図９Ａ】本装置に犬が排尿しているところを示している。
【図９Ｂ】排尿が検出された時に無線高周波信号を褒美付与装置に送信して褒美の放出を行ったところを示している。
【図９Ｃ】どのようにしてキーホルダサイズのリモートコントローラにより褒美を放出させるかを示している。
【発明を実施するための形態】
【００１３】
犬のサイズに応じて、本装置の高さは１５ｃｍ〜５０ｃｍと様々となる。本装置は犬が到達できる範囲内に置かれる。１つ以上の本装置を、保護すべき色々な垂直のエリアや面に応じて配置することができ、したがって、５つの基本的な実施形態が以下示される。それらはすべて、床に置かれ、配置される面に依存する。種々の実施形態をより理解するためには、以下の説明を参照されたい。
【００１４】
図１Ａは、「完全型」と呼ばれる装置を示しており、これはオープンエリアの中央に配置され、３６０度の対応範囲を有する。図１Ｂ、図１Ｃ及び図１Ｄは、その別の視点からの図である。
【００１５】
図２Ａは、壁及び家具等の垂直面に隣接して配置するために、完全に平坦な面を有する「フラットハーフ型」の装置を示している。
【００１６】
図３Ａは、平坦面を有することに加えて、壁に一般的に使用される台座（ｓｏｃｌｅ：以下「ソークル」ともいう）を回避するための特別な断面を有する「ソークルフラットハーフ型」の実施形態を示している。
【００１７】
図４Ａは、壁の角部に結合されて壁又は家具に取り付けることができるように９０度断面を有するという特徴を有する、「フラットコーナー型」の実施形態を示している。
【００１８】
図５Ａは、壁の角部に配置され９０度断面を有することに加えて、台座付きの壁に適合する断面を有する「ソークルフラットコーナー型」の実施形態を示している。
【００１９】
図６Ａには本装置を構成する基本的な部分が示されており、本装置は、その上部に、取扱いのための、剛性のある一体型把持用ハンドル（６０１）を備えている。犬が排尿する滑らかな傾斜した流動面（６０２）がある。尿を溜める溝（６０４）があり、その両側に、尿をうまく制御して排出するための排液路（６０５）を有する。本装置の底面（６０６）は常に床に置かれる。垂直面に隣接して配置される実施形態は、保護縁部（６０３）を特徴としている。台座付きの壁の場合の実施形態では、台座を回避するための特別な断面（６０７）がある。
【００２０】
通常、犬が自分の環境内で新しい要素を見つけると、それを尿でマーキングするが（図７Ａ）、本装置上で排尿するための既知の理論「パブロフの条件」に基づいてこの行動を強化するために、すぐに褒美が与えられる（図７Ｂ）。尿は、その飛散りを防ぐ競合溝のある底部に排出される。飼い主は、溝内の尿の蓄積に気付くことによって、又は犬が通常の褒美をねだるので、本装置に触れることなく排尿されたことを視覚的に知ることができる。飼い主は、把持用ハンドルを持って、尿がこぼれないように注意して本装置を垂直に持ち上げ、適切な場所に移動させて本装置を空にする（図７Ｄ）。その後、本装置を単に水で洗浄し（図７Ｅ）、同じ場所に戻し、或いは、犬の中には排尿する場所を見つけることを好むものもいるので、別の場所に移動させる。
【００２１】
上述したように、犬が本装置で排尿するように訓練し習慣化させるためには、その行動のために直ちに褒美を与えなければならないが、飼い主が常にそれができるとは限らない。そこで、犬に自動的に褒美を与える「電子式褒美付与装置」という付属品が創案された。
【００２２】
図８Ａは、付属品「電子式法部付与装置」を構成する要素を示しており、第１の要素は、ステンレス製のピンによって固定された電子回路を備えた小型のプラスチック製ボックス（８０１）で構成された無線周波数送信器モジュールであり、前記ピンは、電気伝導によって尿液を検出するための端子として機能し、ピンの頭部（８０４）は競合溝の下部の内側に配置され、これによって、このモジュールは上記の実施形態に適合させることができる。この送信器モジュールはリセットボタン（８０３）を有する。２３Ａ  １２Ｖタイプの電池（８０４）用の区画が、種々の周波数の組み合わせを設定するための４ポジション型のスライドスイッチ（８０５）（ＤｉｐＳｗｉｔｃｈ）と共に設けられている。電子回路は以下の機能が組み込まれている。すなわち、端子ピンを介して液体の存在を検出し、６〜１２秒の遅延で無線周波数信号を電子式褒美付与装置に送信し、リセットボタンによってリセットされるまで無効とする。
【００２３】
電子式褒美付与装置は、犬のための褒美が充填される蓋（８０８）付き半透明プラスチック製容器（８０７）と、褒美の出口管（８１０）を有するプラスチック製基部（８０９）と、手動放出用アクションボタン（８１１）とからなり、基部はその内部に、褒美を放出する機構を有し、この機構はトリガとなる無線周波数の受信器電子回路によって動作され、電子回路は送信器モジュールと同じ周波数を同期させる４ポジション型スライドスイッチを有している。その電源はバッテリー又は電力変換器から供給される。さらに、キーホルダサイズのリモートコントローラ（８１２）を備える。
【００２４】
付属品「電子式褒美付与装置」は、犬が本装置上で排尿した場合（図９Ａ）、電子送信器モジュールは、犬が排尿を完了するまでに数秒間の遅延をもって、競合溝内の尿の蓄積を検出する。それは無線周波数信号を「電子式褒美付与装置」に送信するが、電子式褒美付与装置は短い距離ではあるが高所にあり、犬には利用できない。送信器からの信号を受信すると、電子式褒美付与装置は褒美放出機構を電子的に作動させ、褒美を放出して落下させる（図９Ｂ）。「電子式褒美付与装置」は、同じ付与装置（８０１）またはキーホルダサイズの無線リモートコントローラの前面にある放出ボタン（８１２）によって手動で操作することもできる。送信器モジュールは、洗浄された後にリセットボタン（８０３）によりリセットされるまで、より多くの信号を送信しないように無効とされる。
【００２５】
電子式褒美付与装置は、同じ無線周波数チャンネルでプログラムされた別の小便器からの信号を受信することによって作動させることもでき、又は独立して使用することができ、手動ボタン又はキーホルダサイズのリモートコントローラによって他の行動のために犬に褒美を与えることができる。
【図１Ａ】
2017517277.tif 000003
【図１Ｂ】
2017517277.tif 000004
【図１Ｃ】
2017517277.tif 000005
【図１Ｄ】
2017517277.tif 000006
【図２Ａ】
2017517277.tif 000007
【図２Ｂ】
2017517277.tif 000008
【図２Ｃ】
2017517277.tif 000009
【図２Ｄ】
2017517277.tif 000010
【図３Ａ】
2017517277.tif 000011
【図３Ｂ】
2017517277.tif 000012
【図３Ｃ】
2017517277.tif 000013
【図３Ｄ】
2017517277.tif 000014
【図４Ａ】
2017517277.tif 000015
【図４Ｂ】
2017517277.tif 000016
【図４Ｃ】
2017517277.tif 000017
【図４Ｄ】
2017517277.tif 000018
【図５Ａ】
2017517277.tif 000019
【図５Ｂ】
2017517277.tif 000020
【図５Ｃ】
2017517277.tif 000021
【図５Ｄ】
2017517277.tif 000022
【図６Ａ】
2017517277.tif 000023
【図６Ｂ】
2017517277.tif 000024
【図６Ｃ】
2017517277.tif 000025
【図７Ａ】
2017517277.tif 000026
【図７Ｂ】
2017517277.tif 000027
【図７Ｃ】
2017517277.tif 000028
【図７Ｄ】
2017517277.tif 000029
【図７Ｅ】
2017517277.tif 000030
【図８Ａ】
2017517277.tif 000031
【図８Ｂ】
2017517277.tif 000032
【図８Ｃ】
2017517277.tif 000033
【図９Ａ】
2017517277.tif 000034
【図９Ｂ】
2017517277.tif 000035
【図９Ｃ】
2017517277.tif 000036
【国際調査報告】
2017517277.tif 000037
2017517277.tif 000038
2017517277.tif 000039
2017517277.tif 000040
2017517277.tif 000041
2017517277.tif 000042